【手続補正書】
【提出日】平成18年6月7日(2006.6.7)
【手続補正１】
【補正対象書類名】明細書
【補正対象項目名】発明の名称
【補正方法】変更
【補正の内容】
【発明の名称】シートベルトリトラクタおよびこれを備えたシートベルト装置
【手続補正２】
【補正対象書類名】明細書
【補正対象項目名】特許請求の範囲
【補正方法】変更
【補正の内容】
【特許請求の範囲】
【請求項１】  ウェビングを巻き取るリールと、緊急時にウェビング引出し方向の回転が阻止されるロッキング部材を有するロック機構と、少なくとも一部が前記リール内にこのリールと同心状に設けられて前記リールと前記ロッキング部材との間を回転的に連結し、前記ロッキング部材のウェビング引出し方向の回転が阻止されて前記リールが前記ロッキング部材に対して所定量ウェビング引出方向に相対回転するとき前記ウェビングにかかる荷重を制限するウェビング荷重制限手段とを少なくとも備えているシートベルトリトラクタにおいて、
前記ウェビング荷重制限手段は更に前記リールと前記ロッキング部材との間に円周方向に延設された周方向せん断破壊部を有する環状のせん断プレートを備え、
前記周方向せん断破壊部は、前記ロッキング部材のウェビング引出し方向の回転が阻止されたときから前記リールの前記ロッキング部材に対する前記ウェビング引出方向の相対回転が阻止されるまでの間の任意の時期に、加えられるせん断荷重が設定せん断荷重より小さいときは前記リールの前記ロッキング部材に対する相対回転を阻止し、また加えられるせん断荷重が設定せん断荷重以上になったときはせん断破壊して前記リールの前記ロッキング部材に対する相対回転を可能にするようになっていることを特徴とするシートベルトリトラクタ。
【請求項２】  ウェビングを巻き取るリールと、緊急時にウェビング引出し方向の回転が阻止されるロッキング部材を有するロック機構と、少なくとも一部が前記リール内にこのリールと同心状に設けられて前記リールと前記ロッキング部材との間を回転的に連結し、前記ロッキング部材のウェビング引出し方向の回転が阻止されて前記リールが前記ロッキング部材に対して所定量ウェビング引出方向に相対回転したとき、前記ウェビングにかかる荷重を制限するウェビング荷重制限手段とを少なくとも備えているシートベルトリトラクタにおいて、
前記ウェビング荷重制限手段は更に前記リールと前記ロッキング部材との間に円周方向に所定の間隔をおいて延設された所定数の周方向せん断破壊部を有するせん断部材を備え、
前記所定数の周方向せん断破壊部は、それぞれ、前記ロッキング部材のウェビング引出し方向の回転が阻止されたときから前記リールの前記ロッキング部材に対する前記ウェビング引出方向の相対回転が阻止されるまでの間で、加えられるせん断荷重が設定せん断荷重より小さいときは前記リールの前記ロッキング部材に対する相対回転を阻止し、また加えられるせん断荷重がそれぞれの設定せん断荷重以上になったときはせん断破壊して前記リールの前記ロッキング部材に対する相対回転を可能にするようになっていることを特徴とするシートベルトリトラクタ。
【請求項３】  前記所定数の周方向せん断破壊部は、それらのいくつかの周方向せん断破壊部がせん断破壊して前記リールが前記ロッキング部材に対して相対回転した後に、次に残りの周方向せん断破壊部のうちのいくつかの周方向せん断破壊部が破壊するように、順次せん断破壊するようになっていることを特徴とする請求項２記載のシートベルトリトラクタ。
【請求項４】  前記所定数の周方向せん断破壊部の各設定せん断荷重は、すべて互いに異なる値に設定されているか、すべて同じ値に設定されているか、それらのいくつかが同じ値に設定されているかのいずれかであることを特徴とする請求項２または３記載のシートベルトリトラクタ。
【請求項５】  前記せん断部材は環状のせん断プレートで形成されていることを特徴とする請求項２ないし４のいずれか１記載のシートベルトリトラクタ。
【請求項６】  前記環状のせん断プレートは、その外周から径方向に突出しかつ円周方向に延設された円弧状外側突起とその内周から径方向に突出しかつ円周方向に延設された円弧状内側突起とを備え、前記リールに前記円弧状外側突起および前記円弧状内側突起のいずれか一方が嵌合されて円周方向に係合可能な円弧状凹部が設けられているとともに、前記ロッキング部材に前記円弧状外側突起および前記円弧状内側突起のいずれか他方が嵌合されて円周方向に係合可能な円弧状凹部が設けられており、
更に、前記周方向せん断破壊部は前記円弧状外側突起または前記円弧状内側突起により形成されていることを特徴とする請求項１または５記載のシートベルトリトラクタ。
【請求項７】  ウェビングと、このウェビングを巻取引出し可能に巻き取るとともに、緊急時にウェビングの引出しを阻止するシートベルトリトラクタとを備え、前記緊急時に前記ウェビングで乗員を拘束するシートベルト装置において、
前記シートベルトリトラクタは、請求項１ないし６のいずれか１記載のシートベルトリトラクタからなることを特徴とするシートベルト装置。
【手続補正３】
【補正対象書類名】明細書
【補正対象項目名】０００１
【補正方法】変更
【補正の内容】
【０００１】
【発明の属する技術分野】
本発明は、ウェビングを巻取引出し可能に巻き取るシートベルトリトラクタの技術分野に属し、特に、ウェビング装着状態で衝突時等の車両に大きな車両減速度が作用した場合のような緊急時にウェビングの引出しを阻止する際、このウェビングにかかる荷重を制限するトーションバーを備えているシートベルトリトラクタおよびこれを備えたシートベルト装置の技術分野に属するものである。
【手続補正４】
【補正対象書類名】明細書
【補正対象項目名】００１２
【補正方法】変更
【補正の内容】
【００１２】
本発明は、このような事情に鑑みてなされたものであって、その目的は、制限荷重を種々設定することができるようにして、乗員の運動エネルギをより効果的に吸収することができるシートベルトリトラクタおよびこれを備えたシートベルト装置を提供することである。
【手続補正５】
【補正対象書類名】明細書
【補正対象項目名】００１６
【補正方法】変更
【補正の内容】
【００１６】
更に、請求項６の発明は、前記環状のせん断プレートが、その外周から径方向に突出しかつ円周方向に延設された円弧状外側突起とその内周から径方向に突出しかつ円周方向に延設された円弧状内側突起とを備え、前記リールに前記円弧状外側突起および前記円弧状内側突起のいずれか一方が嵌合されて円周方向に係合可能な円弧状凹部が設けられているとともに、前記ロッキング部材に前記円弧状外側突起および前記円弧状内側突起のいずれか他方が嵌合されて円周方向に係合可能な円弧状凹部が設けられており、更に、前記周方向せん断破壊部が前記円弧状外側突起または前記円弧状内側突起により形成されていることを特徴としている。
更に、請求項７の発明は、ウェビングと、このウェビングを巻取引出し可能に巻き取るとともに、緊急時にウェビングの引出しを阻止するシートベルトリトラクタとを備え、前記緊急時に前記ウェビングで乗員を拘束するシートベルト装置において、前記シートベルトリトラクタが、請求項１ないし６のいずれか１記載のシートベルトリトラクタからなることを特徴としている。
【手続補正６】
【補正対象書類名】明細書
【補正対象項目名】００１７
【補正方法】変更
【補正の内容】
【００１７】
【作用】
このように構成された請求項１の発明にかかるシートベルトリトラクタおよび請求項７の発明にかかるシートベルト装置は、せん断プレートの周方向せん断破壊部によるウェビングの制限荷重とウェビング荷重制限手段によるウェビングの制限荷重との２種類の制限荷重のウェビング制限荷重特性を有するようになる。これにより、請求項１の発明のシートベルトリトラクタは、１種類のフラットなウェビング制限荷重特性を有する従来のシートベルトリトラクタと異なり、乗員への衝撃荷重をより効果的に吸収緩和するようになる。特に、周方向せん断破壊部の荷重制限作動をロッキング部材のウェビング引出し方向の回転が阻止されたときから前記リールの前記ロッキング部材に対する前記ウェビング引出方向の相対回転が阻止されるまでの間の任意の時期に行わせることで、２種類のウェビング制限荷重のタイミングが種々任意に設定されるようになる。
【手続補正７】
【補正対象書類名】明細書
【補正対象項目名】００１８
【補正方法】変更
【補正の内容】
【００１８】
また、請求項２ないし５の発明にかかるシートベルトリトラクタおよび請求項７の発明にかかるシートベルト装置は、せん断部材の所定数の周方向せん断破壊部による所定数のウェビングの制限荷重とウェビング荷重制限手段によるウェビングの制限荷重との多種類の制限荷重からなる多段階のウェビング制限荷重特性を有するようになる。これにより、請求項２の発明のシートベルトリトラクタは、１種類のフラットなウェビング制限荷重特性を有する従来のシートベルトリトラクタと異なり、乗員への衝撃荷重をより効果的に吸収緩和するようになる。特に、所定数の周方向せん断破壊部の荷重制限作動をロッキング部材のウェビング引出し方向の回転が阻止されたときから前記リールの前記ロッキング部材に対する前記ウェビング引出方向の相対回転が阻止されるまでの間の任意の時期に行わせることで、多種類のウェビング制限荷重のタイミングが種々任意に設定されるようになる。
【手続補正８】
【補正対象書類名】明細書
【補正対象項目名】００１９
【補正方法】変更
【補正の内容】
【００１９】
更に請求項１、５、６および７の各発明においては、リールとロッキング部材との間に、形状および加工の簡単な環状のせん断プレートを介在させているだけであるので、シートベルトリトラクタの組立が容易でありかつコストが安価である。
【手続補正９】
【補正対象書類名】明細書
【補正対象項目名】００６１
【補正方法】変更
【補正の内容】
【００６１】
【発明の効果】
以上の説明から明らかなように、請求項１の発明のシートベルトリトラクタおよび請求項７の発明のシートベルト装置によれば、せん断プレートの周方向せん断破壊部によるウェビングの制限荷重とウェビング荷重制限手段によるウェビングの制限荷重との２種類の制限荷重のウェビング制限荷重特性を有するようにしているので、１種類のフラットなウェビング制限荷重特性を有する従来のシートベルトリトラクタと異なり、乗員への衝撃荷重をより効果的に吸収緩和することができる。
特に、周方向せん断破壊部の荷重制限作動をロッキング部材のウェビング引出し方向の回転が阻止されたときから前記リールの前記ロッキング部材に対する前記ウェビング引出方向の相対回転が阻止されるまでの間の任意の時期に行わせることで、２種類のウェビング制限荷重のタイミングを種々任意に設定できるようになる。
【手続補正１０】
【補正対象書類名】明細書
【補正対象項目名】００６２
【補正方法】変更
【補正の内容】
【００６２】
また、請求項２の発明にかかるシートベルトリトラクタおよび請求項７の発明のシートベルト装置によれば、せん断部材の所定数の周方向せん断破壊部による所定数のウェビングの制限荷重とウェビング荷重制限手段によるウェビングの制限荷重との多種類の制限荷重からなる多段階のウェビング制限荷重特性を有するようにしているので、１種類のフラットなウェビング制限荷重特性を有する従来のシートベルトリトラクタと異なり、乗員への衝撃荷重をより効果的に吸収緩和することができる。
特に、所定数の周方向せん断破壊部の荷重制限作動をロッキング部材のウェビング引出し方向の回転が阻止されたときから前記リールの前記ロッキング部材に対する前記ウェビング引出方向の相対回転が阻止されるまでの間の任意の時期に行わせることで、多種類のウェビング制限荷重のタイミングを種々任意に設定することができるようになる。
【手続補正１１】
【補正対象書類名】明細書
【補正対象項目名】００６３
【補正方法】変更
【補正の内容】
【００６３】
更に請求項１、５、６および７の各発明によれば、リールとロッキング部材との間に、形状および加工の簡単な環状のせん断プレートを介在させているだけであるので、組立が容易でありかつコストが安価である。